(57)【要約】【課題】熱交換器を通過する空気の漏洩を防止し、熱交換器のコーナー部が、換気装置内の構造物との干渉なしに、換気装置の内部に容易に装着できるように構成した熱交換器及びこれを備えた換気装置を提供する。【解決手段】所定間隔をおいて積層される複数のライナー１１１と、前記各ライナー１１１間に配置される複数のスペーサ１１２とを備えた熱交換素子１１０と、前記熱交換素子１１０のコーナー部に結合されるコーナーガイド１３０と、を含み、前記コーナーガイド１３０が、前記熱交換素子１１０のコーナーと前記コーナーガイド１３０の内側面との間に空間を形成するガイドチャンネル１３３を含む熱交換器を構成する。【選択図】図２
2008025982.tif 000002
【特許請求の範囲】
【請求項１】
所定間隔をおいて積層される複数のライナーと、前記各ライナー間に配置される複数のスペーサとを備えた熱交換素子と、
前記熱交換素子のコーナー部に結合されるコーナーガイドと、を含み、
前記コーナーガイドは、前記熱交換素子のコーナーと前記コーナーガイドの内側面との間に空間を形成するガイドチャンネルを含むことを特徴とする熱交換器。
【請求項２】
前記熱交換素子の両端を覆うカバーをさらに含み、前記カバーは、前記コーナーガイドに固定されることを特徴とする請求項１に記載の熱交換器。
【請求項３】
前記ガイドチャンネルは、前記カバーを前記コーナーガイドに締結するための締結手段が挿入される固定部を含むことを特徴とする請求項２に記載の熱交換器。
【請求項４】
前記ガイドチャンネルは、前記熱交換素子のコーナーが挿入されるコーナー収容部と、前記コーナー収容部から拡張され、前記カバーを固定するための締結手段が挿入される固定部と、を含むことを特徴とする請求項２に記載の熱交換器。
【請求項５】
前記熱交換素子の両端に配置されるカバーをさらに含み、前記カバーは、前記コーナーガイドの外側を覆い、前記コーナーガイドを前記熱交換素子に密着させるフランジ部を含むことを特徴とする請求項１に記載の熱交換器。
【請求項６】
前記熱交換素子は、隣接する前記各ライナーによって形成される層を含み、第１及び第２流路は、前記層に第１及び第２方向に交互に配置されることを特徴とする請求項１に記載の熱交換器。
【請求項７】
前記コーナーガイドは、前記第１及び第２流路のコーナーにそれぞれ結合されることを特徴とする請求項６に記載の熱交換器。
【請求項８】
前記コーナーガイドは、前記第１及び第２流路を通過する空気が混合されることを防止することを特徴とする請求項６に記載の熱交換器。
【請求項９】
前記コーナーガイドは、前記熱交換素子の対応コーナーに配置される固定部と、前記熱交換素子の隣接側面に接触するように、前記固定部の両側面から延長される接触部と、を含むことを特徴とする請求項１に記載の熱交換器。
【請求項１０】
前記固定部の両側面は、前記対応コーナーを収容するコーナー収容部を形成することを特徴とする請求項９に記載の熱交換器。
【請求項１１】
前記コーナーガイドは、前記コーナーガイドを前記熱交換素子のコーナーに付着するために、前記コーナー収容部内に配置される接着剤をさらに含むことを特徴とする請求項１０に記載の熱交換器。
【請求項１２】
所定間隔をおいて積層される複数のライナーと、前記各ライナー間に配置されて空気流路を形成する複数のスペーサとを有する熱交換素子と、
前記熱交換素子の側面コーナー部に結合され、前記熱交換素子のコーナーを収容するための空間を有するコーナーガイドと、
前記空間に対応する位置で前記コーナーガイドに結合される結合部を有し、前記熱交換素子及びコーナーガイドの上部及び下部にそれぞれ配置されるカバーと、を含むことを特徴とする熱交換器。
【請求項１３】
前記カバーは、前記熱交換素子の側面側に折曲されるフランジ部を含み、前記フランジ部は、前記コーナーガイドの上端及び下端を覆い、前記コーナーガイドを前記熱交換素子に密着させることを特徴とする請求項１２に記載の熱交換器。
【請求項１４】
前記熱交換素子は、隣接する前記各ライナーによって形成される層を含み、第１及び第２流路は、前記層に第１及び第２方向に交互に配置されることを特徴とする請求項１２に記載の熱交換器。
【請求項１５】
前記コーナーガイドは、前記第１及び第２流路のコーナーにそれぞれ結合されることを特徴とする請求項１４に記載の熱交換器。
【請求項１６】
前記コーナーガイドは、前記第１及び第２流路を通過する空気が混合されることを防止することを特徴とする請求項１４に記載の熱交換器。
【請求項１７】
前記コーナーガイドは、前記熱交換素子の対応コーナーに配置される固定部と、
前記熱交換素子の隣接側面に接触するように、前記固定部の両側面から延長される接触部と、を含むことを特徴とする請求項１２に記載の熱交換器。
【請求項１８】
前記固定部の両側面は、前記対応コーナーを収容するコーナー収容部を形成することを特徴とする請求項１７に記載の熱交換器。
【請求項１９】
前記コーナーガイドは、前記コーナーガイドを前記熱交換素子のコーナーに付着するために、前記コーナー収容部内に配置される接着剤をさらに含むことを特徴とする請求項１８に記載の熱交換器。
【請求項２０】
所定間隔をおいて積層される複数のライナーと、前記各ライナー間に配置されるスペーサとを含み、吸気される室外空気と排気される室内空気との間の熱交換を行う熱交換器を備える換気装置において、
前記熱交換器は、前記ライナーとスペーサのコーナー部に結合されるコーナーガイドを含み、前記コーナーガイドは、前記ライナーとスペーサのコーナーが挿入されるように空間を形成するガイドチャンネルを含むことを特徴とする換気装置。
【請求項２１】
前記熱交換器は、前記熱交換器の上面と下面を形成するために、前記コーナーガイドに固定されるカバーをさらに含み、
前記ガイドチャンネルは、ライナーとスペーサのコーナーが挿入されるコーナー収容部と、前記コーナー収容部から拡張され、前記カバーを固定するための締結手段が挿入される固定部と、を含むことを特徴とする請求項２０に記載の換気装置。
【請求項２２】
前記熱交換器は、前記熱交換器の上面と下面を形成すると同時に、前記コーナーガイドを前記ライナーとスペーサの側面に密着させるカバーをさらに含むことを特徴とする請求項２０に記載の換気装置。
【請求項２３】
前記熱交換素子は、隣接する前記各ライナーによって形成される層を含み、第１及び第２流路は、前記層に第１及び第２方向に交互に配置されることを特徴とする請求項２０に記載の換気装置。
【請求項２４】
前記コーナーガイドは、前記第１及び第２流路のコーナーにそれぞれ結合されることを特徴とする請求項２３に記載の換気装置。
【請求項２５】
前記コーナーガイドは、前記第１及び第２流路を通過する空気が混合されることを防止することを特徴とする請求項２３に記載の換気装置。
【請求項２６】
前記コーナーガイドは、前記熱交換素子の対応コーナーに配置される固定部と、
前記熱交換素子の隣接側面に接触するように、前記固定部の両側面から延長される接触部と、を含むことを特徴とする請求項２０に記載の換気装置。
【請求項２７】
前記固定部の両側面は、前記対応コーナーを収容するコーナー収容部を形成することを特徴とする請求項２６に記載の換気装置。
【請求項２８】
前記コーナーガイドは、前記コーナーガイドを前記熱交換素子のコーナーに付着するために、前記コーナー収容部内に配置される接着剤をさらに含むことを特徴とする請求項２７に記載の換気装置。
【請求項２９】
前記換気装置は、前記熱交換素子の第１側面と対向して配置される吸気流路と、前記熱交換素子の第２側面と対向して配置される排気流路と、前記吸気流路と前記排気流路との間に配置される区画部と、前記熱交換素子のコーナーと前記区画部の一端との間に配置されるコーナーガイドと、を含むことを特徴とする請求項２５に記載の換気装置。
【請求項３０】
前記コーナーガイドは、前記熱交換素子のコーナーに配置され、前記区画部の一端に結合される固定部と、前記熱交換素子の隣接側面に結合される接触部と、を含むことを特徴とする請求項２９に記載の換気装置。
【発明の詳細な説明】
【技術分野】
【０００１】
本発明は、換気装置に適用される熱交換器に関するもので、特に、コーナー部を通した空気の漏れを最小化できる熱交換器に関するものである。
【背景技術】
【０００２】
換気装置は、室内空気を室外に排出し、室外空気を室内に吸入して室内空間を換気するための装置である。ところが、室内空間を換気するにおいては、室内の熱気または冷気が外部に排出され、室外の冷気または熱気が室内に流入するしかない。したがって、何らの濾過過程なしに換気することで、室内の熱損失が激しくなり、室内を冷暖房するのに多くの電力が消耗される。このような問題点を勘案し、換気装置には、室外に排出される空気と室内に吸入される空気とを互いに熱交換させ、室外に捨てられる熱を再活用するための熱交換器が設置される。
【０００３】
上記のような熱交換器の例は、特許文献１に開示されている。開示された従来の熱交換器は、熱交換シート及びスペーサを交互に積層してなる熱交換器本体と、この熱交換器本体の両端に配置される２個の金属板と、熱交換器本体及び金属板のコーナー部にそれぞれ結合される４個のコーナー部材と、を含んで構成される。４個のコーナー部材は、熱交換器本体のコーナー部に嵌合されるように断面Ｌ字状を有し、コーナー部材と熱交換シートとの隙間と通した空気の漏洩を防止するために、シリコンによって熱交換器本体に接着される。
【０００４】
しかしながら、上記のような従来の熱交換器においては、コーナー部材の内側面コーナーが熱交換器本体のコーナーに当接する構造となっているため、積層された熱交換シートとスペーサの寸法が正確に一致しない場合、コーナー部材と熱交換器本体との間に隙間が発生し、この隙間を通して空気が漏洩してしまう。
【０００５】
上記のような隙間を通した空気の漏洩は、シリコンなどの接着剤を用いると、ある程度は防止可能になる。しかしながら、従来の熱交換器においては、コーナー部材と熱交換器本体のコーナー部との間にシリコンが塗布される場合、コーナー部材が熱交換器本体から浮き上がるしかない。また、シリコンが均一に塗布されない状況では、コーナー部材と熱交換器本体との間の隙間を通した空気の漏洩が依然として発生する。
【０００６】
また、上記のようにコーナー部材が熱交換器本体から浮き上がると、熱交換器を換気装置に装着するときに問題が発生する。すなわち、熱交換器が換気装置に装着されるとき、コーナー部材は、換気装置に設けられたガイドレールの内側に挿入されるが、上記のようにコーナー部材が熱交換器本体から浮き上がると、コーナー部材とガイドレールとの干渉によって熱交換器を換気装置に装着する作業が困難になる。
【０００７】
また、開示された従来の熱交換器においては、熱交換器の両端に配置される金属板及び
コーナー部材を、熱交換器本体側でスクリューを通して固定するため、スクリューの挿入によって熱交換シートとスペーサが損傷し、空気の漏洩が発生する恐れがある。
【特許文献１】日本公開特許平０６-３１３６９４号明細書
【発明の開示】
【発明が解決しようとする課題】
【０００８】
本発明は、上記のような問題点を解決するためのもので、その目的は、熱交換器を通過する空気の漏洩を防止できるように構成した熱交換器及びこれを備えた換気装置を提供することにある。
【０００９】
また、本発明は、熱交換器のコーナー部が、換気装置内の構造物との干渉なしに、換気装置の内部に容易に装着できるように構成した熱交換器及びこれを備えた換気装置を提供することにある。
【課題を解決するための手段】
【００１０】
上記の目的を達成するための本発明に係る熱交換器は、所定間隔をおいて積層される複数のライナーと、前記各ライナー間に配置される複数のスペーサとを備えた熱交換素子と、前記熱交換素子のコーナー部に結合されるコーナーガイドと、を含み、前記コーナーガイドは、前記熱交換素子のコーナーと前記コーナーガイドの内側面との間に空間を形成するガイドチャンネルを含むことを特徴とする。
【００１１】
前記熱交換素子の両端を覆うカバーをさらに含み、前記カバーは、前記コーナーガイドに固定される。
【００１２】
このとき、前記ガイドチャンネルは、前記熱交換素子のコーナーが挿入されるコーナー収容部と、前記コーナー収容部から拡張され、前記カバーを固定するための締結手段が挿入される固定部と、を含んで構成される。
【００１３】
一方、前記カバーは、前記コーナーガイドの外側を覆い、前記コーナーガイドを前記熱交換素子に密着させるフランジ部を有することが好ましい。
【００１４】
前記熱交換素子は、隣接する前記各ライナーによって形成される層を含み、第１及び第２流路は、前記層に第１及び第２方向に交互に配置される。
【００１５】
前記コーナーガイドは、前記第１及び第２流路のコーナーにそれぞれ結合される。
【００１６】
前記コーナーガイドは、前記第１及び第２流路を通過する空気が混合されることを防止する。
【００１７】
前記コーナーガイドは、前記熱交換素子の対応コーナーに配置される固定部と、前記熱交換素子の隣接側面に接触するように、前記固定部の両側面から延長される接触部とを含む。
【００１８】
前記固定部の両側面は、前記対応コーナーを収容するコーナー収容部を形成する。
前記コーナーガイドは、前記コーナーガイドを前記熱交換素子のコーナーに付着するために、前記コーナー収容部内に配置される接着剤をさらに含む。
【００１９】
また、本発明に係る熱交換器は、所定間隔をおいて積層される複数のライナーと、前記各ライナー間に配置されて空気流路を形成する複数のスペーサとを有する熱交換素子と、前記熱交換素子の側面コーナー部に結合され、前記熱交換素子のコーナーを収容するための空間を有するコーナーガイドと、前記空間に対応する位置で前記コーナーガイドに結合される結合部を有し、前記熱交換素子及びコーナーガイドの上部及び下部にそれぞれ配置されるカバーと、を含むことを特徴とする。
【００２０】
また、本発明に係る換気装置は、所定間隔をおいて積層される複数のライナーと、前記各ライナー間に配置されるスペーサとを含み、吸気される室外空気と排気される室内空気との間の熱交換を行う熱交換器を備える換気装置において、前記熱交換器は、前記ライナーとスペーサのコーナー部に結合されるコーナーガイドを含み、前記コーナーガイドは、前記ライナーとスペーサのコーナーが挿入されるように空間を形成するガイドチャンネルを含むことを特徴とする。
【００２１】
このとき、前記熱交換器は、前記熱交換器の上面と下面を形成するために、前記コーナーガイドに固定されるカバーをさらに含み、前記ガイドチャンネルは、ライナーとスペーサのコーナーが挿入されるコーナー収容部と、前記コーナー収容部から拡張され、前記カバーを固定するための締結手段が挿入される固定部と、を含んで構成される。
【００２２】
また、前記熱交換器は、前記熱交換器の上面と下面を形成すると同時に、前記コーナーガイドを前記ライナーとスペーサの側面に密着させるカバーをさらに含む。
【００２３】
前記換気装置は、前記熱交換素子の第１側面と対向して配置される吸気流路と、前記熱交換素子の第２側面と対向して配置される排気流路と、前記吸気流路と前記排気流路との間に配置される区画部と、前記熱交換素子のコーナーと前記区画部の一端との間に配置されるコーナーガイドと、を含む。
【００２４】
前記コーナーガイドは、前記熱交換素子のコーナーに配置され、前記区画部の一端に結合される固定部と、前記熱交換素子の隣接側面に結合される接触部と、を含む。
【発明の効果】
【００２５】
本発明は、コーナーガイドに熱交換素子のコーナーを収容する空間を設けて、コーナーガイドを熱交換素子に安定的に密着させることで、熱交換素子とコーナーガイドとの間に塗布される接着剤によってコーナーガイドが浮き上がることを最小化できるという効果がある。したがって、熱交換素子とコーナーガイドとの間の隙間を通した空気の漏洩を効果的に防止できる。
【００２６】
また、本発明は、熱交換器の組み立て時に熱交換素子が損傷されることを防止するとともに、熱交換器を換気装置内に装着するとき、熱交換器のコーナーガイドと換気装置内のガイドレールとの干渉を防止することで、熱交換器の設置作業が容易になる。
【発明を実施するための最良の形態】
【００２７】
以下、本発明の好ましい実施の形態を、添付の図面に基づいて詳細に説明する。図１は、本発明の一実施形態に係る換気装置を示した図である。
【００２８】
図１に示すように、本発明に係る換気装置は、室外空気が吸入される吸気流路２０と、室内空気が排出される排気流路３０とが設けられた本体１０を備えている。また、本体１０には、吸気流路２０と排気流路３０とを区画するための複数の区画部１４が含まれる。吸気流路２０と排気流路３０は、互いに対角線方向に交差して形成され、それらの交差点には、吸入される室外空気と排気される室内空気との間で熱交換を行うための熱交換器１００が配置される。
【００２９】
本体１０の内部には、熱交換器１００を本体１０の内部に設置するとき、熱交換器１００を案内するためのガイドレール１１が備わる。ガイドレール１１は、区画部１４の一端に配置される。また、ガイドレール１１は、熱交換器１００のコーナーガイド１３０に対応する形状を有し、熱交換器１００の装着時にコーナーガイド１３０の外側面を支持する。以下、コーナーガイド１３０に対して詳しく説明する。
【００３０】
吸気流路２０の一側には、室外空気を本体１０の内部に流入させるための室外側吸気口２１が設けられ、他側には、熱交換器１００を通過した室外空気を室内側に供給するための室内側排気口２２が設けられる。これと同様に、排気流路３０の一側には、室内空気を本体１０の内部に流入させるための室内側吸気口３１が設けられ、他側には、熱交換器１００を通過した室内空気を室外側に排出するための室外側排気口３２が設けられる。
また、本体１０の内部には、室外空気を吸入するのに必要な送風力を発生させる吸気ファン１２と、室内空気を排出するのに必要な送風力を発生させる排気ファン１３とが設置される。
【００３１】
図２は、本発明の一実施形態に係る熱交換器を示した分解斜視図で、図３は、図２に示した熱交換器の要部を部分的に示した斜視図で、図４Ａ及び図４Ｂは、本発明の一実施形態に係る熱交換器において、熱交換素子にコーナーガイドが結合される過程を示した平断面図である。図２には、説明の便宜上、二つのコーナーガイドのみを示した。しかし、本発明に係る熱交換器１００は、これに限定されることなく、二つ以上のコーナーガイドを含むこともある。図４Ａは、コーナーガイドが熱交換素子に結合される前の状態を示した図で、図４Ｂは、コーナーガイドが熱交換素子に結合された後の状態を示した図である。
図２及び図３に示すように、熱交換器１００は、室外から吸気される空気と室内から排出される空気とが互いに隔離した状態で熱交換を行えるように熱交換素子１１０を構成する。熱交換素子１１０は、所定間隔をおいて積層される複数のライナー１１１と、これら各ライナー１１１間の空間に配置され、空気の流れのための空気流路１１３を形成する複数のスペーサ１１２と、から構成される。スペーサ１１２は、山と谷が連続的に形成された波形の板材からなり、熱交換素子１１０の形状を維持しながら各ライナー１１１間の空間に空気流路１１３を形成する。
【００３２】
空気流路１１３は、吸気流路２０と連通され、吸気される室外空気を室外側吸気口２１から室内側排気口２２に通過させるための第１空気流路１１３ａと、排気流路３０と連通され、排気される室内空気を室内側吸気口３１から室外側排気口３２に通過させるための第２空気流路１１３ｂと、からなり、第１空気流路１１３ａと第２空気流路１１３ｂは、互いに交差しながら交互に配置される。
【００３３】
また、熱交換器１００は、熱交換素子１１０の上部及び下部を覆う金属製のカバー１２０と、熱交換素子１１０の側面コーナー部にそれぞれ結合されるコーナーガイド１３０と、を備えている。ここで、コーナーガイド１３０は、熱交換素子１１０のコーナー部を保護するとともに、吸入される室外空気と排気される室内空気とがコーナー部で混合されることを防止する役割をする。また、コーナーガイド１３０は、吸気流路２０と排気流路３０との間で空気が混合されることを防止し、さらに、第１及び第２空気流路１１３ａ，１１３ｂの間で空気が混合されることを防止する。
【００３４】
図２、図４Ａ及び図４Ｂに示すように、本発明のコーナーガイド１３０は、熱交換素子１１０との結合時、熱交換素子１１０のコーナーに隣接した二つの側面に接触する接触部１３１，１３２と、熱交換素子１１０のコーナーとコーナーガイド１３０の内側面との間に空間を形成するガイドチャンネル１３３と、を含んで構成される。上記のように、本発明では、熱交換素子１１０のコーナーが、コーナーガイド１３０との干渉なしに、コーナーガイド１３０に設けられたガイドチャンネル１３３に収容されるので、コーナーガイド１３０の接触部１３１，１３２が熱交換素子１１０の二つの側面に確実に密着されることで、熱交換素子１１０とコーナーガイド１３０との間の隙間を通した空気の漏洩を防止できる。
【００３５】
図４Ａ及び図４Ｂに示すように、ガイドチャンネル１３３は、コーナーガイド１３０の接触部１３１，１３２と連結され、熱交換素子１１０との結合時に熱交換素子１１０のコーナーが挿入されるコーナー収容部１３３ａと、このコーナー収容部１３３ａから熱交換素子１１０の反対側に拡張される固定部１３３ｂと、を含んで構成される。接触部１３１，１３２は、熱交換素子１１０のコーナーを収容するために、固定部１３３ｂから熱交換素子１１０の対応側面に向かって延長される。
【００３６】
ここで、固定部１３３ｂは、スクリューなどの締結手段４０（図２及び図３を参照）を通してカバー１２０をコーナーガイド１３０に固定するものである。このとき、カバー１２０は、コーナーガイド１３０と結合される結合部１２１を有し、この結合部１２１には、ガイドチャンネル１３３の固定部１３３ｂに対応する結合孔１２１ａが形成される。
【００３７】
上記のように、コーナー収容部１３３ａを基準にして熱交換素子１１０の反対側に位置する固定部１３３ｂを用いて、カバー１２０をコーナーガイド１３０に締結すると、カバー１２０とコーナーガイド１３０との締結過程における熱交換素子１１０の損傷を防止できる。
【００３８】
コーナーガイド１３０を熱交換素子１１０のコーナーに組み立てるとき、コーナーガイド１３０には、図４Ａ及び図４Ｂに示すように、シリコンなどの接着剤１０１が塗布される。コーナーガイド１３０に接着剤１０１が塗布された状態でコーナーガイド１３０に熱交換素子１１０のコーナーが収容されると、一部の接着剤は、熱交換素子１１０とコーナーガイド１３０との接触部１３１，１３２間に浸透しながら熱交換素子１１０とコーナーガイド１３０との間の隙間を密封し、残りの接着剤は、コーナーガイド１３０のコーナー収容部１３３ａで熱交換素子１１０のコーナーに付着されるか、固定部１３３ｂを通してコーナーガイド１３０の外部に排出される。したがって、本発明では、接着剤によってコーナーガイド１３０が浮き上がることを最小化できる。
【００３９】
一方、図２、図３、図４Ａ及び図４Ｂに示すように、カバー１２０は、熱交換素子１１０の側面側に折曲されるフランジ部１２２を有することが好ましいが、フランジ部１２２は、コーナーガイド１３０の接触部１３１，１３２の上端及び下端を加圧してコーナーガイド１３０を熱交換素子１１０に密着させる。その結果、熱交換素子１１０とコーナーガイド１３０との間の密封性が一層向上する。
【００４０】
また、接触部１３１，１３２の外側面は、フランジ部１２２を装着するための段差面１３１ａ，１３２ａを有することが好ましく、段差面１３１ａ，１３２ａによって、フランジ部１２２がコーナーガイド１３０の外側に突出することを防止できる。
【図面の簡単な説明】
【００４１】
【図１】本発明の一実施形態に係る換気装置を示した図である。
【図２】本発明の一実施形態に係る熱交換器を示した分解斜視図である。
【図３】図２に示した熱交換器の要部を部分的に示した斜視図である。
【図４Ａ】及び
【図４Ｂ】本発明の一実施形態に係る熱交換器において、熱交換素子にコーナーガイドが結合される過程を示した平断面図である。
【符号の説明】
【００４２】
１０  換気装置本体
１１  ガイドレール
１００  熱交換器
１１０  熱交換素子
１１１  ライナー
１１２  スペーサ
１２０  カバー
１２１  フランジ部
１３０  コーナーガイド
１３１，１３２  接触部
１３３  ガイドチャンネル
１３３ａ  コーナー収容部
１３３ｂ  固定部
【図１】
2008025982.tif 000003
【図２】
2008025982.tif 000004
【図３】
2008025982.tif 000005
【図４Ａ】
2008025982.tif 000006
【図４Ｂ】
2008025982.tif 000007